(57)【要約】【課題】暗転時に効率良く蓄光シートの蓄光を導出する表示パネルを提供する。【解決手段】光を発するＬＥＤ４と、このＬＥＤ４に隣接し当該ＬＥＤ４の光を出射する導光板２と、導光板２の光を受け蓄光すると共に蓄光した光を導出する蓄光シート５とを有し、蓄光シート５は、導光板２の側面の少なくとも一部に配設され、導光板２には所定の傾斜角の側面を有する凹部による意匠が形成されている。【選択図】  図３
2015055801.tif 000002
【特許請求の範囲】
【請求項１】
光を発する光源と、
前記光源に隣接し、前記光源の光を出射する導光板と、
前記導光板の光を受け蓄光すると共に蓄光した光を導出する蓄光シートと、
前記光源、前記導光板を少なくとも保持する筺体部と、を有し、
前記蓄光シートは、前記導光板の側面のうち前記光源が配設される面に対向する面及び当該面に隣接する面の少なくも一部に配設され、
前記導光板は、少なくともその一主面に外部からの光を蓄光シートに導く凹部を有していること
を特徴とする案内表示装置。
【請求項２】
前記蓄光シートは、前記各面に面状に貼り付けられていること
を特徴とする請求項１に記載の案内表示装置。
【請求項３】
前記導光板は、少なくともその一主面に前記凹部による所定の意匠が形成されていること
を特徴とする請求項１に記載の案内表示装置。
【請求項４】
前記凹部は、前記導光板の厚み方向に対して所定の傾斜を有する側面を有すること
を特徴とする請求項１に記載の案内表示装置。
【請求項５】
前記凹部の内面の少なくとも一部はブラスト加工されていること
を特徴とする請求項１に記載の案内表示装置。
【請求項６】
少なくとも一主面に所定の深さの凹部からなる意匠が形成された導光板と、
前記導光板の側面の少なくとも一部に面状に配設された蓄光シートと、を備え、
前記凹部は、その内面のうち側面が所定の傾斜角を有する傾斜面となっていること
を特徴とする案内表示装置。
【発明の詳細な説明】
【技術分野】
【０００１】
本発明は、少なくとも蓄光シートと導光板を備え、暗転時に蓄光シートに蓄光された光を導光板を介して導出する案内表示装置に関する。
【背景技術】
【０００２】
従来、案内表示装置としての各種案内標識は、夜間等、暗転時においても正確に案内表示を行うことが求められている。このような場合、夜間等において標識等による各種表示を補助するバックライトとして機能するものとして蓄光シートが採用されている。
【０００３】
例えば、特許文献１では、基板の表面に図柄が非蓄光性インキで形成され、図柄を覆う状態で白色の蓄光層が形成された誘導灯用表示パネルが開示されている。
【０００４】
また、特許文献２では、基材シートの表面に蓄光塗料又は蓄光フィルムで形成された発光表示面が形成され、基材シートの上には積層された透光性シートの表面に通常表示面が形成され、周囲が暗くなると発光表示面に表示が切り替わる技術が開示されている。
【０００５】
一方、特許文献３では、内部又は外部に蓄光層が形成されている導光板に、蓄光機能のない表示部が設けられ、蓄光層の表示部が設けられていない側に、接着剤層を介して白色フィルムを積層した反射層が設けられている標識が開示されている。
【０００６】
また、特許文献４では、光源から照射された光を蓄積して発光可能な高輝度蓄光材からなる蓄光部材を備えた蓄光照明機構が開示されている。同技術では、蓄光部材は、導光板を水平方向に挟んで光源の対極に配置され又は光源の近辺に配置される。
【先行技術文献】
【特許文献】
【０００７】
【特許文献１】特開２００７−１８３３７５号公報
【特許文献２】特開２００４−１６３６２１号公報
【特許文献３】特許第４０９４４１０号公報
【特許文献４】特開２０１３−１４２７６６号公報
【発明の概要】
【発明が解決しようとする課題】
【０００８】
しかしながら、特許文献１乃至３では、基板等の「表面」に蓄光塗料等による蓄光層が形成されているにすぎず、導光板の主面に形成された意匠に導光板の側面に配設された蓄光シートで蓄光された光を導いて当該意匠を表出するような構成は開示されていない。
【０００９】
即ち、上記従来技術は、表示パネルや案内表示装置等において、通常の状態では導光板特有の視認性が高く透明性の高いクリアな表示を実現しつつ、暗転時には蓄光された光を導いて導光板の主面に形成された意匠を表出させるものはない。
【００１０】
特に特許文献４の技術では、蓄光部材が光源の対極に配置されることを想定しているので、設計に自由度がなく、また蓄光部材で蓄光された光の照射も一方向からのみであるので光量も不十分である。さらに、蓄光部材に効率良く蓄光し、且つその蓄光した光を効率良く光表示部に導く構成は開示されていない。また、光表示部が、導光板の上に凸状に形成されているため、導光板上の界面により外部からの光が全反射してしまい、外部からの光を蓄光部材まで効率よく導くことが困難な構造であった。
【００１１】
本発明は、この様な実情に鑑みてなされたものであり、通常の状態では導光板特有の透明性の高い表示を実現しつつ、光源からの光ないしは自然光により蓄光シートへの蓄光を効率的に行い、暗転時に効率良く蓄光シートの蓄光を導出する案内表示装置を提供することを目的とする。
【課題を解決するための手段】
【００１２】
上述技術的な課題を解決するため、本発明の第１の態様に係る案内表示装置は、光を発する光源と、前記光源に隣接し、前記光源の光を出射する導光板と、前記導光板の光を受け蓄光すると共に蓄光した光を導出する蓄光シートと、前記光源、前記導光板を少なくとも保持する筺体部と、を有し、前記蓄光シートは、前記導光板の側面のうち前記光源が配設される面に対向する面及び当該面に隣接する面の少なくも一部に配設され、前記導光板は、少なくともその一主面に外部からの光を蓄光シートに導く凹部を有していることを特徴とする。
【００１３】
本発明の第２の態様に係る案内表示装置は、少なくとも一主面に所定の深さの凹部からなる意匠が形成された導光板と、前記導光板の側面の少なくとも一部に面状に配設された蓄光シートと、を備え、前記凹部は、その内面のうち側面が所定の傾斜角を有する傾斜面となっていることを特徴とする。
【発明の効果】
【００１４】
本発明によれば、通常の状態では導光板特有の透明性の高い表示を実現し、光源からの光ないしは自然光により蓄光シートへの蓄光を効率的に行い、暗転時に効率良く蓄光シートの蓄光を導出する案内表示装置を提供することができる。
【００１５】
即ち、蓄光シートが、光源の対向面のみならず、その隣接する面にも配設されれば、蓄光シートで蓄光された光の導光板から導出する光量も増加し、暗転時においても柔らかく上品な発光を実現することができる。
【００１６】
また、導光板は、少なくともその一主面に外部からの光を蓄光シートに導く凹部を有していることにより、反射を防ぎ、外部からの自然光を効率よく取り入れることが可能である。
【００１７】
また、蓄光シートを面状に貼り付けることとすれば、光源或いは自然光を無駄なく蓄光することができるので、蓄光効率が高まる。
【００１８】
さらに、導光板に凹部を形成すれば、所定の文字、図形、記号等の意匠を表出することができる。特に、完全な切り抜きとすることなく、所定の深さを有する凹部とすれば、凹部の下にも光路が形成され、蓄光等を効率良く行うことができる。
【００１９】
そして、特に、導光板の少なくとも一主面に形成されている凹部の内面の一部を傾斜面とすれば、意匠の文字等の情報の縁を強調した発光が可能となる。また、凹部の内面の少なくとも一部にブラスト加工を施せば、蓄光シートの蓄光が微弱であっても当該加工面での拡散により柔らかい発光を実現することが可能となる。また、ブラストや切削加工やレーザー等による微細加工により、鏡面上の反射を起こさせ難くし、反射を防ぎ外部からの自然光を効率よく取り入れることが可能である。
【図面の簡単な説明】
【００２０】
【図１】本発明の第１の実施形態に係る表示パネルの外観構成図である。
【図２】（ａ），（ｂ）は本発明の第１の実施形態に係る表示パネルの構成図である。
【図３】本発明の第１の実施形態に係る表示パネルの一部断面図である。
【図４】本発明の第１の実施形態に係る表示パネルに採用される蓄光シートの構成を示す図である。
【図５】各種ピクトグラムを示す図である。
【図６】本発明の第２の実施形態に係る案内表示装置の外観構成図である。
【図７】本発明の第２の実施形態に係る案内表示装置の分解斜視図である。
【図８】本発明の第３の実施形態に係る案内表示装置の分解斜視図である。
【図９】本発明の第３の実施形態に係る案内表示装置の外観構成図である。
【図１０】本発明の第３の実施形態に係る案内表示装置の導光板に設けられる凹部群のパターンを示す図である。
【発明を実施するための形態】
【００２１】
以下、本発明の表示パネル及び案内表示装置に係る好適な実施形態について図面を参照しながら説明する。なお、本発明の表示パネル及び案内表示装置は、以下の記述に限定されるものではなく、本発明の要旨を逸脱しない範囲において、適宜変更可能である。
【００２２】
＜第１の実施形態＞
先ず、本発明の第１の実施形態について説明する。
【００２３】
図１には本発明の第１の実施形態に係る表示パネルの外観構成を示し、図２（ａ），（ｂ）には第１の実施形態に係る表示パネルの一部を透視した構成図を示し、図３には当該表示パネルの一部断面図を示し、構成、作用効果について説明する。
【００２４】
この図１，２に示されるように、第１の実施形態に係る表示パネル１は、光源としてのＬＥＤ４を備えている。この例では、複数のＬＥＤチップが配列されている。そして、このＬＥＤ４からの入射光を側面から受けるように導光板２が配設されている。この導光板２は、例えば、透明なアクリル樹脂等により構成されている。この例では、導光板２の下面からＬＥＤ４の光を受けるように、側面のうち下１か所に光源としてのＬＥＤ４が設けられているが、上下両側に設けてもよい。
【００２５】
この導光板２の側面及び上面には、詳細は後述するような構成の蓄光シート５が貼り付けられている。アルミフレーム３は、導光板２を、その四方を挟持した状態で保持している。このとき、下部のアルミフレーム３の中に光源としてのＬＥＤ４も格納される。挟持用のフレームは、アルミフレーム３に限定されず、種々の材質のものを採用することができる。このように、第１の実施形態では、光源に対向する面のみならず、側面も含めた３面に蓄光シート５が貼り付けられている。ゆえに、暗転時に導光板２の後述するような意匠面２ａから導出する光の光量も多い。また、各側面において面状且つ広範囲に蓄光シート５が配設されていることも光量の増加に寄与している。
【００２６】
ここで、蓄光シート５の構成は、図４に示される。
【００２７】
即ち、蓄光シート５は、導光板２への対向側からＰＥＴ層５ｅ、蓄光層５ｄ、反射層５ｃの順に積層された積層構造となっている。また、導光板とＰＥＴ層の間に両面テープなどの粘着性の材料を使用してもよい。すなわち、蓄光シート５の導光板２への貼り付けの際には、剥離層５ａを剥がして粘着層５ｂにより導光板２に貼り付けてよい。さらに、反射層５ｃと対向するように反射シートを使用してもよい。反射シートは、例えばアルミフレーム３の内面の反射率が好ましくないとき等に反射光を増やすのに好適である。
【００２８】
蓄光シート５は、透明支持体となるＰＥＴ層５ｅの表面に、アクリル樹脂材料に微粉末の蓄光顔料を混練した蓄光層５ｄを積層し、更にその蓄光層５ｄの上に反射層５ｃを積層して構成される。但し、これに限定されない。
【００２９】
即ち、透明支持体はＰＥＴフィルム、その他、透明であれば、アクリル、ＰＣ等適宜採用することが可能である。また、蓄光層５ｄについても、この第１の実施形態では、アルミン酸ストロンチウムからなる蓄光顔料を採用したが、これに限定されず、ＺｎＳ等と、バインダ樹脂、アクリル、ＰＶＣ、ポリエステルなど、支持体に密着し、顔料層を形成できれば適宜選べる。また、アルミン酸ストロンチウムに賦活（付活）剤として希土類元素を添加した蓄光顔料を採用することもできる。また、ＺｎＳ（硫化亜鉛）を主成分とする場合には、添加物として例えば金属類となるＣｕを含んでよい。さらに、反射層５ｃとしては、白色顔料としてのＴｉＯ２を採用したが、これに限定されず白色顔料としてのＢａＳＯ４、ＭｇＯ、ＺｒＯ、Ｔａｌｃ、Ａｌ２Ｏ３、ＰＭＭＡ、ＰＥ、ＰＰ等と、バインダ樹脂、アクリル、ＰＶＣ、ポリエステル等顔料層を形成できれば適宜選べる。この例では、透明支持体となるＰＥＴ層５ｅを備える構成としたが、透明支持体を備えない構成としてもよいことは勿論である。
【００３０】
前述したように、蓄光シート５は、その剥離紙５ａを剥がして、粘着層５ｂにより導光板２、或いはアルミフレーム３の内面に貼り付けられるが、粘着層５ｂによりアルミフレーム３の内面に貼り付ける場合でも併せて両面テープ等により蓄光シート５を導光板２に密着させることで、蓄光シートの蓄光層５ｄに蓄光された光を無駄なく高効率で導出することができる。尚、粘着層５ｂは、ＰＥＴ層５ｅ側に設けてもよい。
【００３１】
なお、蓄光シート５の各層のサイズは、例えば、ＰＥＴ層５ｅが３８μｍ、蓄光層５ｄが２２０〜２３０μｍとすることができる。また、反射層５ｃだけを取り出した場合、数十μｍとすることができる。但し、これには限定されない。
【００３２】
導光板２の一主面或いは他主面の少なくとも一方には、レーザー加工或いはルーター加工等により、所定の意匠２ａが形成されている。この例では、所定の深さの凹部として意匠２ａが形成される。発光時には、この主面或いは他主面の意匠２ａの特にエッジ面が光の拡散により浮かび上がることになる。この意匠２ａとしては、図５に示されるような各種のピクトグラムを形成することが可能であるが、これらには限定されない。
【００３３】
図３は、図１のＡ−Ａ線での断面図であり、導光板２の一主面に形成された意匠２ａの様子を詳細に示している。意匠２ａは凹部として所定の文字等を視認せしめるように構成されているが、導光板２を完全に切り抜くのではなく、所定の深さの凹部として形成される。この例では、例えば導光板２の厚さに対して約２割程度の深さとなっている。但し、これには限定されない。このように凹部を所定の深さとすることで、光源であるＬＥＤ４の光は、光路が断絶されることなく、意匠２ａの下面の光路を通過して対向する蓄光シート５にも導かれるので、効率良く蓄光を行うことも可能となる。
【００３４】
さらに、凹部の内面の少なくとも一部にブラスト加工を施して荒面とすれば、蓄光シートの微弱な蓄光であっても当該表面で拡散され、浮かび上がったような柔らかい光を導出することができる。また、凹部の導光板２の長手方向に対して略鉛直な方向に延びる面（即ち、エッジ面）は、導光板２の短手方向に対して所定の角度で傾斜しているので、所定の文字の縁をより強調した発光とすることができる。
【００３５】
以上のような構成の表示パネル１は、取り付けネジ６等により壁面に固定されてよい。
【００３６】
このような構成において、平常動作時には、電源供給により光源としてのＬＥＤ４が発光し、導光板２を介してその光が導出され、所定の意匠２ａを表出する。ＬＥＤ４の光は導光板２を介して蓄光シート５にも導かれ、当該蓄光シート５の蓄光層５ｄが光エネルギーを蓄える。一方、無電源時には、蓄光シート５の蓄光層５ｄより発光された光が導光板２を介して導出され、所定の意匠２ａを表出する。また、蓄光層５ｄにより発光された光が、反射層５ｃや反射シートにより反射され、導光板２へ導かれる。
【００３７】
前述したように、第１の実施形態に係る表示パネル１が採用した蓄光シート５は、サイン業界等、意匠性を重視する領域や暗転時の安全を確保する領域に展開可能となる。
【００３８】
尚、アルミフレーム３の反射面の反射率は大きいほどよい。
【００３９】
上記説明では、導光板２の各側面ごとに蓄光シート５を１枚用いる例を示したが、蓄光シート５は複数枚重ねるようにして蓄光効率を高めるようにしてもよい。例えば、蓄光シート５を２枚重ねることで、蓄光光量が向上することが確認されている。
【００４０】
以上説明したように、本発明の第１の実施形態によれば、光を発する光源としてのＬＥＤ４と、ＬＥＤ４に隣接し、ＬＥＤ４の光を出射する導光板２と、導光板２の光を受け蓄光すると共に蓄光した光を導出する蓄光シート５と、を有し、蓄光シート５は、導光板２の側面の少なくとも一部に配設されていることを特徴とする表示パネルが提供される。これによれば、暗転時に蓄光シート５に蓄光された光で、導光板２より光を導出させることが可能となるので、導光板２特有の透明感のある表示が可能となる。
【００４１】
ここで、導光板２は、少なくともその一主面に複数の凹部又は凸部が形成されていることとしてよい。これによれば、所定の意匠２ａを凹部又は凸部の集まりにより形成することが可能となる。
【００４２】
また、蓄光シート５を複数枚積層したこととしてもよい。これによれば、蓄光効率を高め、暗転時の出力光量を高めることが可能となる。
【００４３】
従って、第１の実施形態によれば、蓄光シートを用いることで、通常運転時には光源の光により蓄光シート５に効率良く蓄光を行いつつ、導光板２を介して光源としてのＬＥＤ４の光を導出することで所定の意匠２ａをきれいに表出することができ、暗転時においても蓄光シート５に蓄光された光を導光板２より導出することで、所定の意匠を通常運転時と同じように表出することが可能となる。
【００４４】
そして、特に、導光板２の少なくとも一主面に形成されている意匠２ａが凹部により構成されており、当該凹部が導光板２に対して所定の深さとなっており、完全に切り抜かれていないので、光源としてのＬＥＤ４の光を意匠２ａの凹部の下部光路を介して対向する蓄光シート５などに導くこともでき、効率的に蓄光が行われる。しかも、凹部のエッジ面は、導光板２の短手方向に対して凹部の底面に向けて傾斜するように所定の傾斜角が設けられているので、意匠２ａの文字等の情報の縁を強調した発光が可能となる。また、凹部の内面の少なくとも一部にブラスト加工を施せば、蓄光シートの蓄光が微弱であっても当該加工面での拡散により柔らかい発光を実現することが可能となる。
【００４５】
＜第２の実施形態＞
次に、本発明の第２の実施形態について説明する。
【００４６】
図６には本発明の第２の実施形態に係る案内表示装置の構成を示し説明する。
【００４７】
この図６に示されるように、この実施形態に係る案内表示装置１０は、光源としてのＬＥＤ１４を備えている。そして、このＬＥＤ１４からの入射光を側面から受けるように導光板１１が配設されている。この導光板１１は、例えば、透明なアクリル樹脂等により構成されている。この例では、導光板１１の上面からＬＥＤ１４からの光を受けるように上１か所に光源としてのＬＥＤ１４が設けられているが、上下両側に設けてもよい。
【００４８】
この導光板１１の側面及び下面には、蓄光シート５が貼り付けられている。アルミフレーム１３は、導光板１１を、その側面及び下面を挟持した状態で保持している。光源としてのＬＥＤ１４は、筐体１５に格納されている。筐体１５の内部の接続構造については後に詳述する。挟持用のフレームは、アルミフレーム１３に限定されず、種々の材質のものを採用することができる。このように、この第２の実施形態では、光源に対向する面のみならず、側面も含めた３面に蓄光シート５が貼り付けられているので、暗転時に導光板１１から導出する光量も多い。また、各側面において面状且つ広範囲に蓄光シート５が配設されている。
【００４９】
なお、蓄光シート５の構成は、先に図４に示したものと同様であるので、ここでは同一構成には同一符号を付し、重複した説明は省略する。図４で説明したとおり、蓄光シート５は、導光板１１への対向側からＰＥＴ層５ｅ、蓄光層５ｄ、反射層５ｃが順に積層された積層構造となっているものとする。導光板とＰＥＴ層の間に両面テープなどの粘着性の材料を使用してもよい。すなわち、蓄光シート５の導光板１１への貼り付けの際には、剥離層５ａを剥がして粘着層５ｂにより導光板２に貼りつけてよい。さらに、反射層５ｃと対向するように反射シートを使用してもよい。反射シートは、例えばアルミフレーム３の内面の反射率が好ましくないとき等に反射光を増やすのに好適である。
【００５０】
導光板１１の一主面或いは他主面の少なくとも一方には、レーザー加工或いはルーター加工等により、所定の意匠１２が形成されている。発光時には、この主面或いは他主面の意匠が光の拡散により浮かび上がることになる。この意匠１２としては、先に図５に示したような各種のピクトグラムを形成可能であるが、これらには限定されない。
【００５１】
この例では、意匠１２は凹部として所定の図柄等を視認せしめるように構成されているが、導光板１１を完全に切り抜くのではなく、所定の深さの凹部として形成される。このように、所定の深さとすることで、光源であるＬＥＤ１４の光は、光路が断絶されることなく、意匠１２の下面の光路を通過して対向ならびに隣接する蓄光シート５にも導かれるので、効率良く蓄光を行うことも可能となる。
【００５２】
さらに、凹部の内面の少なくとも一部にブラスト加工を施して荒面とすれば、蓄光シートの微弱な蓄光であっても当該表面で拡散され、浮かび上がったような柔らかい光を導出することができる。また、意匠１２の凹部の導光板１１の長手方向に対して略鉛直な方向に延びる面（即ち、エッジ面）を、導光板１１の短手方向に対して所定の角度をもって傾斜させれば、所定の図柄等の情報の縁をより強調した発光もできる。
【００５３】
以上のような構成の案内表示装置１０は、取り付けネジ２２等により天井面等に固定されてよい。
【００５４】
このような構成において、平常動作時には、電源供給により光源としてのＬＥＤ１４が発光し、導光板１１を介してその光が導出され、所定の意匠１２を表出する。ＬＥＤ１４の光は導光板１１を介して蓄光シート５にも導かれ、当該蓄光シート５の蓄光層５ｄが光エネルギーを蓄える。一方、無電源時には、蓄光シート５の蓄光層５ｄより発光された光がＰＥＴ層５ｅ、導光板１１を介して導出され、所定の意匠１２を表出する。
【００５５】
前述したように、この第２の実施形態に係る案内表示装置１０が採用した蓄光シート５は、サイン業界等、意匠性を重視する領域や暗転時の安全を確保する領域に展開可能となる。
【００５６】
尚、アルミフレーム１３の反射面の反射率は大きいほどよい。
【００５７】
上記説明では、導光板１１の各側面ごとに蓄光シート５を１枚用いる例を示したが、蓄光シート５は複数枚重ねるようにして蓄光効率を高めるようにしてもよい。例えば、蓄光シート５を２枚重ねることで、蓄光光量が向上することが確認されている。
【００５８】
次に、図７には本発明の第２の実施形態に係る案内表示装置の分解斜視図を示し、各部の構成を説明する。
【００５９】
図７に示されるように、筐体１５は、筐体部１７と第１保持部材１８、第２保持部材１９等からなる。筐体部１７は、ステンレスの板を複数回屈折させて、下部の中央が開口し内部に空間を設けた角柱形状に形成されている。また、筐体部１７に収納される第１保持部材１８及び第２保持部材１９は、それぞれステンレスの板を２回屈折させて、Ｌ字状を組み合わせた形状に形成されている。また、固定部材２０は、ボルト及びナットから成り、密閉蓋１６は、アルミニウムの平板から成る。
【００６０】
第１保持部材１８及び第２保持部材１９を用いて、導光板１１を挟み込む。その上で固定部材２０のボルトを、第２保持部材１９に形成された貫通孔１９ａ、導光板１１に形成された貫通孔１１ａ、及び第１保持部材１８に形成された貫通孔１８ａの順で挿通し、ナットで固定する。その上で、第１保持部材１８の底面及び第２保持部材１９の底面を、筺体部１７の内部に載置している。また、密閉蓋１６を用いて、筺体部１７と第１保持部材１８及び第２保持部材１９の側部を密閉している。
【００６１】
以上説明したように、本発明の第２の実施形態によれば、光を発する光源としてのＬＥＤ１４と、光源に隣接し、光源の光を出射する導光板１１と、導光板１１の光を受け蓄光すると共に蓄光した光を導出する蓄光シート５と、光源としてのＬＥＤ１４、導光板１１を少なくとも保持する筺体１５と、を有し、蓄光シート５は、導光板１１の側面の少なくも一部に配設されていることを特徴とする案内表示装置１０が提供される。これによれば、暗転時に蓄光シート５に蓄光された光で、導光板１１より光を導出させることが可能となるので、導光板１１特有の透明感のある表示が可能となる。
【００６２】
ここで、導光板１１は、少なくともその一主面に複数の凹部又は凸部が形成されていることとしてもよい。或いは、導光板１１は、その一主面及び他主面に複数の凹部又は凸部が形成されており、一主面側の凹部又は凸部は、他主面側の凹部又は凸部とは、所定ピッチずれていることとしてもよい。これによれば、所定の意匠１２を凹部又は凸部の集まりにより形成することが可能となる。
【００６３】
また、蓄光シート５を複数枚積層したこととしてもよい。これによれば、蓄光効率を高め、暗転時の出力光量を高めることが可能となる。
【００６４】
従って、第２の実施形態によれば、蓄光シート５を用いることで、通常運転時には光源としてのＬＥＤ１４の光により蓄光シート５に効率良く蓄光を行いつつ、導光板１１を介してＬＥＤ１４の光を導出することで所定の意匠１２をきれいに表出することができ、暗転時においても蓄光シート５に蓄光された光を導光板１１より導出することで、所定の意匠１２を通常運転時と同じように表出することが可能となる。
【００６５】
そして、特に、導光板１１の少なくとも一主面に形成されている意匠１２が凹部により構成されており、当該凹部が導光板１１に対して所定の深さとなっており、完全に切り抜かれていなければ、光源としてのＬＥＤ１４の光を意匠１２の凹部の下部光路を介して対向する蓄光シート５などに導くこともでき、効率的に蓄光が行われる。しかも、凹部のエッジ面に、前記導光板１１の短手方向に対して凹部の底面に向けて傾斜するように所定の傾斜角が設けられていれば、意匠１２の図柄等の情報の縁を強調した発光を行うことが可能となる。また、凹部の内面の少なくとも一部にブラスト加工を施せば、蓄光シートの蓄光が微弱であっても、当該加工面での拡散により柔らかい発光を実現することが可能となる。
【００６６】
＜第３の実施形態＞
次に、本発明の第３の実施形態について説明する。
【００６７】
図８、９には本発明の第３の実施形態に係る案内表示装置の構成を示し説明する。
【００６８】
同図に示されるように、この案内表示装置３０は、一主面及び他主面の少なくとも一方に所定の意匠３２が形成された導光板３１を備えている。そして、この導光板３１の四方側面には、蓄光シート５が貼り付けられている。この蓄光シート５の詳細な構成は先に第１、第２の実施形態で説明したとおりなので、ここでは詳細な説明は省略する。同一構成には同一符号を用いて以下の説明を行う。蓄光シート５の表面には、反射シート３３が貼り付けられており、更にその外側からアルミフレーム３４が覆いかぶさるように配設されている。尚、フレームはアルミに限定されず、種々の材質のものを採用できる。テーブル等の上に置かれるときは、固定保持部材３５に固定される。また、反射シート３３を備えない構成としてもよい。
【００６９】
導光板３１の一主面或いは他主面の少なくとも一方には、レーザー加工或いはルーター加工等により、所定の意匠３２が形成されている。発光時には、この主面或いは他主面の意匠が光の拡散により浮かび上がることになる。この意匠３２として、図８，９の例では"reserved"の文字が形成されている。このほか、先に図５に示したような各種のピクトグラムも形成可能であるが、これらには限定されない。尚、導光板３１の表面から入射した自然光が蓄光シート５の方に導かれるように、アルミフレーム３４近傍に長手方向に延出するように所定角度のエッジを有する溝部を設けてもよい。
【００７０】
この例では、意匠３２は凹部として所定の図柄等を視認せしめるように構成されているが、導光板３１を完全に切り抜くのではなく、所定の深さの凹部として形成される。このように、所定の深さとすることで、導光板３１の主面より入射した自然光は、光路が断絶されることなく、意匠３２の下面を通過して蓄光シート５にも導かれるので、効率良く蓄光を行うことも可能となる。
【００７１】
また、平坦な界面が形成されないため、反射した光は凹み部の側面により反射され導光板内部に入射される光が多くなり、蓄光シート５にも導かれるので、効率良く蓄光を行うことも可能となる。
【００７２】
さらに、凹部の内面の少なくとも一部にブラスト加工を施して荒面とすれば、蓄光シート５の微弱な蓄光であっても当該表面で拡散され、浮かび上がったような柔らかく上品な光を導出することができる。また、意匠３２の凹部の導光板３１の長手方向に対して略鉛直な方向に延びる面（即ちエッジ面）を、導光板３１の短手方向に対して所定の角度をもって傾斜させれば、所定の文字等の情報の縁をより強調した発光もできる。
【００７３】
さらに、ブラストや切削加工やレーザー等による微細加工により、界面が粗面となるため鏡面上の反射を起こさせ難くし、反射を防ぎ外部からの自然光を効率よく取り入れることが可能である。
【００７４】
このような構成において、平常動作時には、外光が導光板３１の一主面から他主面へと透過し、意匠３２部分で拡散することで、所定の意匠３２が表出される。このとき、導光板３１を介して外光は蓄光シート５にも導かれ、当該蓄光シート５の蓄光層５ｄが光エネルギーを蓄える。一方、無電源時には、蓄光シート５の蓄光層５ｄより発光された光がＰＥＴ層５ｅ、導光板３１を介して導出され、所定の意匠３２を表出する。
【００７５】
前述したように、この第３の実施形態に係る案内表示装置３０が採用した蓄光シート５は、サイン業界等、意匠性を重視する領域や暗転時の安全を確保する領域に展開可能となる。尚、反射シート３３の反射率は、大きいほどよい。
【００７６】
上記説明では、導光板３１の各側面ごとに蓄光シート５を１枚用いる例を示したが、蓄光シート５は複数枚重ねるようにして蓄光効率を高めるようにしてもよい。
【００７７】
以上説明したように、本発明の第３の実施形態によれば、少なくとも一主面に所定の意匠３２が形成された導光板３１と、導光板３１の側面の少なくとも一部に配設された蓄光シート５と、を備えたことを特徴とする案内表示装置３０が提供される。これによれば、日中は自然光が導光板３１に入射し、その一部が蓄光シート５に導かれることで効率良く蓄光がなされ、暗転時には、蓄光シート５に蓄光された光が導光板３１より導出し、主面に形成された意匠３２をきれに表出させることが可能となる。
【００７８】
ここで、蓄光シート５の表面に反射シート３３が配設されていることとしてよい。これによれば、導光板３１を介して導出された光を効率良く蓄光シート５の蓄光層５ｄに導くことが可能となる。
【００７９】
従って、本発明の第３の実施形態によれば、光源を備えない構成であっても、日中の自然光により蓄光シートに効率良く蓄光することが可能なので、暗転時においても当該蓄光シートに蓄光された光を導光板３１より導出することで、その主面に形成された意匠３２をきれに表出させることが可能となる。
【００８０】
そして、特に、導光板３１の少なくとも一主面に形成されている意匠３２が凹部により構成されており、当該凹部が導光板３１に対して所定の深さとなっており、完全に切り抜かれていなければ、自然光を意匠３２の凹部の下部光路を介して蓄光シート５などに導くこともでき、効率的に蓄光が行われる。しかも、凹部のエッジ面は、導光板３１の短手方向に対して凹部の底面に向けて傾斜するように所定の傾斜角が設けられていれば、意匠３２の文字等の情報の縁を強調した発光が可能となる。また、凹部の内面の少なくとも一部にブラスト加工を施せば、蓄光シート５の蓄光が微弱であっても当該加工面での拡散により柔らかい発光を実現することが可能となる。
【００８１】
以上、本発明の第１乃至第３の実施形態について説明したが、本発明はこれに限定されることなく、その趣旨を逸脱しない範囲で種々の改良・変更が可能である。
【００８２】
例えば、導光板２，１１，３１には、一主面及び他主面からの効率的な拡散を実現するために、凹部又は凸部により所定の意匠２ａ，１２，３２を形成してよいが、例えば凹部を形成する場合には、図１０に示されるように例えば２ステップに分けた工程により、導光板に凹部群を形成してもよい。
【００８３】
即ち、導光板２，１１，３１の左端（初期位置）において超音波加工用ホーンの先端を導光板３１に接触させて凹部群を形成した後（領域Ｓ１）、超音波加工用ホーンを導光板から離した後に平行移動させ、１ホーンピッチだけ右方向に移動したところで、再度、超音波加工用ホーンの先端を導光板３１に接触させて凹部群を形成し（領域Ｓ２）、これらの動作を繰り返すことで（・・・領域Ｓｎ）、導光板２，１１，３１３１の表面一様に第１の凹部群を形成する。続いて、超音波加工用ホーンを、上記初期位置よりも右方向に１／２ドットピッチ、下方向に１／２ドットピッチだけずれた位置に移動させ、当該位置において、超音波加工用ホーンの先端を導光板２，１１，３１に接触させて凹部群を形成した後（領域ＳＳ１）、超音波加工用ホーンを導光板２，１１，３１から離した後に平行移動させ、１ホーンピッチだけ右方向に移動したところで、再度、超音波加工用ホーンの先端を導光板２，１１，３１に接触させて凹部群を形成し（領域ＳＳ２）、これら動作を繰り返すことで（・・・領域ＳＳｎ）、導光板２，１１、３１の表面一様に第２の凹部群を形成する。形成される第２の凹部群は、第１の凹部群と重なることはなく、互い違いに形成されることとなる。
【００８４】
このほか、凹部を導光板２，１１の光源からの距離が遠くなるにつれて深さが段階的に深くなるように形成することで一様な発光分布が得られるようにしてもよい。
【００８５】
また、前述した導光板の意匠は、ルーター加工等により凹部状に形成されていたが、これに限定されず、広く所定の文字等を表出する光学的界面を形成できる種々の手法、構成を採用することができることは勿論である。
【００８６】
本発明の第１乃至第３の実施形態が採用した蓄光シート５の反射層５ｃの反射率は、蓄光（励起）現象に与える影響と蓄光発光現象に与える影響が大きい４４０ｎｍ〜５２０ｎｍの領域で、例えば６０〜９５％としてもよい。また、本発明の第１乃至第３の実施形態が採用した蓄光シート５の透過率は、蓄光（励起）現象に与える影響と蓄光発光現象に与える影響が大きい４４０ｎｍ〜５２０ｎｍの領域で、例えば平均で５〜２５％としてもよい。これは効率的な蓄光及び発光に寄与することを意味する。
【符号の説明】
【００８７】
１  表示パネル
２  導光板
２ａ  意匠部
３  アルミフレーム
４  ＬＥＤ
５  蓄光シート
５ａ  剥離紙
５ｂ  粘着層
５ｃ  反射層
５ｄ  蓄光層
５ｅ  ＰＥＴ層
６  取り付けネジ
１０  案内表示装置
１１  導光板
１２  意匠部
１３  アルミフレーム
１４  ＬＥＤ
１５  筐体
１６  密閉蓋
１７  筐体部
１８  第１保持部材
１９  第２保持部材
２０  固定部材
３０  案内表示装置
３１  導光板
３２  意匠
３３  反射シート
３４  アルミフレーム
３５  固定保持部材
【図１】
2015055801.tif 000003
【図２】
2015055801.tif 000004
【図３】
2015055801.tif 000005
【図４】
2015055801.tif 000006
【図５】
2015055801.tif 000007
【図６】
2015055801.tif 000008
【図７】
2015055801.tif 000009
【図８】
2015055801.tif 000010
【図９】
2015055801.tif 000011
【図１０】
2015055801.tif 000012